(57)【要約】【課題】  簡単な構成によって、外光による照度を方向の特定とともに検出することを可能とし、それによって、照明器具の照度を適切に制御することを可能にする照明制御設備を提供すること。【解決手段】  建屋内に設置された照明器具の照度を制御する照明制御設備において、上記建屋の任意の場所に設置され複数の方向からの光を受光する複数の照度検出素子から構成され複数の方向における照度を計測する複合型照度センサと、上記複合型照度センサからの信号に基づいて上記複数の方向からの光による照度（Ｌｘ）を計測して上記照明器具の照度を制御する照明制御装置と、を具備したもの。  【選択図】  図１
2014096245.tif 000002
【特許請求の範囲】
【請求項１】
建屋内に設置された照明器具の照度を制御する照明制御設備において、
上記建屋の任意の場所に設置され複数の方向からの光を受光する複数の照度検出素子から構成され複数の方向における照度を計測する複合型照度センサと、
上記複合型照度センサからの信号に基づいて上記複数の方向からの光による照度（Ｌｘ）を計測して上記照明器具の照度を制御する照明制御装置と、
を具備したことを特徴とする照明制御設備。
【請求項２】
請求項１記載の照明制御設備において、
上記複数の方向は東西南北に又は東西南北とは無関係な仮の方向であることを特徴とする照明制御設備。
【請求項３】
請求項１又は請求項２記載の照明制御設備において、
上記照明制御装置は、上記照度（Ｌｘ）を１個の照度検出素子又は複数の照度検出素子に関連付けて計測されるものであることを特徴とする照明制御設備。
【請求項４】
請求項１〜請求項３の何れかに記載の照明制御設備において、
上記複数の方向における照度が上記照明器具に与える外光影響度が設定されていて、
上記照明制御装置は、上記照明器具における外光による照度を、上記照度と影響度とから算出するものであることを特徴とする照明制御設備。
【請求項５】
請求項４記載の照明制御設備において、
上記照明制御装置は、外光影響度に関する外部入力の有無を判別し、外部入力がないと判別した場合には予め設定されている外光影響度を使用し、外部入力が有ると判別した場合には、外部入力された外光影響度を使用するものであることを特徴とする照明制御設備。
【請求項６】
請求項４又は請求項５記載の照明制御設備において、
上記照明制御装置は、上記照度から調光率を算出し、その調光率に基づいて照明器具の照度を制御するものであることを特徴とする照明制御設備。
【請求項７】
請求項６記載の照明制御設備において、
上記照明制御装置は、今が調光時間帯であるか否かを判別し、調光時間帯であると判別した場合には算出した調光率に基づいて照明器具の照度を制御し、調光時間帯ではないと判別した場合には予め設定されている別の調光率に基づいて照明器具の照度を制御するものであることを特徴とする照明制御設備。
【発明の詳細な説明】
【技術分野】
【０００１】
本発明は、各種照明器具の照度を制御して該照明器具に対応する照明対象エリアの照度を所望の値に制御する照明制御設備に係り、特に、太陽光等の外光による照度を検出し、その情報に基づいて各種照明器具の照度を調整して照明対象エリアの照度を所望の値に制御することにより、エネルギ消費量の低減を図ることができるように工夫したものに関する。
【背景技術】
【０００２】
従来から、太陽光等の外光の影響を考慮しながら各種照明器具の照度を制御することが行われていた。そのようなものには、例えば、次に説明する３種類がある。
第１の照明制御設備は、周囲光を方位的な指向性なく外光センサにより検出して外光による照度を把握し、それに基づいて照明器具の照度を制御するものである。
第２の照明制御設備は、窓際に外光センサを設置して窓際付近の外光による照度を把握し、それに基づいて窓際近くに設置された照明器具の照度を制御するものである。
第３の照明制御設備は、照明器具自身に外光センサを組み込んで周囲の外光による照度を把握し、それに基づいて照明器具の照度を制御するものである。
【０００３】
この種の照明制御設備を開示するものとして、例えば、特許文献１、特許文献分２、特許文献３、特許文献４、特許文献５等がある。
【先行技術文献】
【特許文献】
【０００４】
【特許文献１】特開平８−６４０１７号公報
【特許文献２】特開平５−２０２６８２号公報
【特許文献３】特開２００５−２２８７５３号公報
【特許文献４】特開平９−３０６６７２号公報
【特許文献５】特開平６−１６８７８６号公報
【発明の概要】
【発明が解決しようとする課題】
【０００５】
上記従来の構成によると次のような問題があった。
まず、第１の照明制御設備の場合には、外光の方向に関する情報が得られないため、例えば、照明を行う室内の南側に窓が全くなくても外光があると誤判断してしまうことがあり、その結果、照明器具の照度を適切に制御することができないという問題があった。又、制御対象の照明器具が設置されている場所の外光状態と、外光センサが設置されている場所の外光状態が異なっている場合があり、この場合にも、照明器具の照度を適切に制御することができないという問題があった。
又、第２の照明制御設備の場合には、窓際に外光センサを設置しているので、窓際からの外光を検出することはできるが、窓際毎に外光センサを設置しなければならず、外光センサの数の増加や配線工事の増大によりコストが上昇してしまうという問題があった。
さらに、第３の照明制御設備の場合には、照明器具毎に外光センサが取り付けられているので、一灯毎のきめ細かな調光を実現することができる反面、制御が外光センサと照明器具との間で完結することになり、その結果、集中的な制御ができないという問題があった。又、同様の構成を持った照明器具が近接して多数設置されている場合には、ある照明器具の外光センサが他の照明器具の照度変化によって誤作動してしまい、その結果、「震動的」になる等不安定な現象が発生してしまい、使用者に不快感を与えてしまうという問題があった。
【０００６】
本発明はこのような点に基づいてなされたものでその目的とするところは、簡単な構成によって、外光による照度を方向の特定とともに検出することを可能とし、それによって、照明器具の照度を適切に制御することを可能にする照明制御設備を提供することにある。
【課題を解決するための手段】
【０００７】
上記目的を達成するべく本願発明の請求項１による照明制御設備は、建屋内に設置された照明器具の照度を制御する照明制御設備において、上記建屋の任意の場所に設置され複数の方向からの光を受光する複数の照度検出素子から構成され複数の方向における照度を計測する複合型照度センサと、上記複合型照度センサからの信号に基づいて上記複数の方向からの光による照度（Ｌｘ）を計測して上記照明器具の照度を制御する照明制御装置と、を具備したことを特徴とするものである。
又、請求項２による照明制御設備は、請求項１記載の照明制御設備において、  上記複数の方向は東西南北に又は東西南北とは無関係な仮の方向であることを特徴とするものである。
又、請求項３による照明制御設備は、請求項１又は請求項２記載の照明制御設備において、上記照明制御装置は、上記照度（Ｌｘ）を１個の照度検出素子又は複数の照度検出素子に関連付けて計測されるものであることを特徴とするものである。
又、請求項４による照明制御設備は、請求項１〜請求項３の何れかに記載の照明制御設備において、上記複数の方向における照度が上記照明器具に与える外光影響度が設定されていて、上記照明制御装置は、上記照明器具における外光による照度を、上記照度と影響度とから算出するものであることを特徴とするものである。
又、請求項５による照明制御設備は、請求項４記載の照明制御設備において、上記照明制御装置は、外光影響度に関する外部入力の有無を判別し、外部入力がないと判別した場合には予め設定されている外光影響度を使用し、外部入力が有ると判別した場合には、外部入力された外光影響度を使用するものであることを特徴とするものである。
又、請求項６による照明制御設備は、請求項４又は請求項５記載の照明制御設備において、上記照明制御装置は、上記照度から調光率を算出し、その調光率に基づいて照明器具の照度を制御するものであることを特徴とするものである。
又、請求項７による照明制御設備は、請求項６記載の照明制御設備において、上記照明制御装置は、今が調光時間帯であるか否かを判別し、調光時間帯であると判別した場合には算出した調光率に基づいて照明器具の照度を制御し、調光時間帯ではないと判別した場合には予め設定されている別の調光率に基づいて照明器具の照度を制御するものであることを特徴とするものである。
【発明の効果】
【０００８】
以上詳細に述べたように本願発明の請求項１による照明制御設備によると、建屋内に設置された照明器具の照度を制御する照明制御設備において、上記建屋の任意の場所に設置され複数の方向からの光を受光する複数の照度検出素子から構成され複数の方向における照度を計測する複合型照度センサと、上記複合型照度センサからの信号に基づいて上記複数の方向からの光による照度（Ｌｘ）を計測して上記照明器具の照度を制御する照明制御装置と、を具備した構成になっているので、簡単な構成によって、外光照度を方向毎に計測して、照明器具の照度を制御することができるので、精度の良い照明制御が可能になる。
又、請求項２による照明制御設備は、請求項１記載の照明制御設備において、  上記複数の方向は東西南北に又は東西南北とは無関係な仮の方向であるので、様々方向の定義に基づいた照明制御が可能になる。
又、請求項３による照明制御設備は、請求項１又は請求項２記載の照明制御設備において、上記照明制御装置は、上記照度（Ｌｘ）を１個の照度検出素子又は複数の照度検出素子に関連付けて計測されるものであるので、簡単な構成で照度を計測することができる。
又、請求項４による照明制御設備は、請求項１〜請求項３の何れかに記載の照明制御設備において、上記複数の方向における照度が上記照明器具に与える外光影響度が設定されていて、上記照明制御装置は、上記照明器具における外光による照度を、上記照度と影響度とから算出するものであるので、外光による照度を高い精度で算出することができる。
又、請求項５による照明制御設備は、請求項４記載の照明制御設備において、上記照明制御装置は、外光影響度に関する外部入力の有無を判別し、外部入力がないと判別した場合には予め設定されている外光影響度を使用し、外部入力が有ると判別した場合には、外部入力された外光影響度を使用するものであるので、実情に合った所望の制御が可能になる。
又、請求項６による照明制御設備は、請求項４又は請求項５記載の照明制御設備において、上記照明制御装置は、上記照度から調光率を算出し、その調光率に基づいて照明器具の照度を制御するものであるので、調光率を高い精度で算出することができる。
又、請求項７による照明制御設備は、請求項６記載の照明制御設備において、上記照明制御装置は、今が調光時間帯であるか否かを判別し、調光時間帯であると判別した場合には算出した調光率に基づいて照明器具の照度を制御し、調光時間帯ではないと判別した場合には予め設定されている別の調光率に基づいて照明器具の照度を制御するものであるので、実情に合った所望の制御が可能になる。例えば、昼休み等で照明の必要がない場合には照明を停止することができる。又、調光時間帯には、季節等の特定の期間も含み、実情に合った所望の制御が可能となる。例えば、長期の夏季休暇により夏の時期のみ照明の制御を行わないことができる。
【図面の簡単な説明】
【０００９】
【図１】本発明の一実施の形態を示す図で、照明器具や照明制御設備の構成を模式的に示す図である。
【図２】本発明の一実施の形態を示す図で、複合型照度センサの構成を模式的に示す図である。
【図３】本発明の一実施の形態を示す図で、複合型照度センサの相対感度を説明するための図である。
【図４】本発明の一実施の形態を示す図で、複合型照度センサの構成を示すブロック図である。
【図５】本発明の一実施の形態を示す図で、照明制御装置の構成を示すブロック図である。
【図６】本発明の一実施の形態を示す図で、外光影響度Ｒを説明するための図である。
【図７】本発明の一実施の形態を示す図で、照明制御装置の作用（照明調光プログラム）を説明するためのフローチャートである。
【図８】本発明の一実施の形態を示す図で、照明制御装置の作用（照明調光プログラム）を説明するためのフローチャートである。
【図９】本発明の一実施の形態を示す図で、図７に示す処理の一つである照度取得プログラムを詳細に説明するためのフローチャートである。
【図１０】本発明の一実施の形態を示す図で、図７に示す処理の一つである照度取得プログラムを詳細に説明するためのフローチャートである。
【図１１】本発明の一実施の形態を示す図で、図８に示す処理の一つである影響度導出プログラムを詳細に説明するためのフローチャートである。
【図１２】本発明の一実施の形態を示す図で、図８に示す処理の一つである調光度算出プログラムを詳細に説明するためのフローチャートである。
【図１３】本発明の一実施の形態を示す図で、図８に示す処理の一つである調光度算出プログラムを詳細に説明するためのフローチャートである。
【発明を実施するための形態】
【００１０】
以下、図１乃至図１３を参照して本発明の一実施の形態を説明する。図１は、本実施の形態による照明器具や照明制御設備の構成を概念的に示す図であり、まず、建屋１がある。この建屋１内には室３が形成されている。上記建屋１の東側、西側、南側にはそれぞれ窓５、７、９が設置されている。又、上記西側の窓７の外側には看板１１が立設されている。又、上記室３内には照明器具１３が設置されている。
【００１１】
上記建屋１の屋上には複合型照度センサ１５が設置されている。又、上記室３内には照明制御装置１７が設置されている。この照明制御装置１７は、上記複合型照度センサ１５によって検出される外光に起因した照度の情報に基づいて、上記照明器具１３の照度を制御するものである。又、図１中符号１９は太陽である。
尚、図１は理解を容易にするために、１個の室３を備えた極めて単純な形状の建屋１を示しており、そこに１個の照明器具１３と１個の複合型照度センサ１５を設置した構成を示している。
実際には、複数の室３を備えた複雑な形状の建屋１もあり、その場合には、複数個の照明器具１３、複数個の複合型照度センサ１５が使用されることになる。
【００１２】
次に、照度制御対象エリアＡについて説明する。この照度制御対象エリアＡは上記照明器具１３の略真下に所定の範囲で設定されたものであり、本実施の形態による照明制御装置１７は、この照度制御対象エリアＡにおける照度を、外光に起因した照度と照明器具１３による照度の両方を利用して所望の照度になるように制御するものである。既に説明した３個の窓５、７、９からの外光は何れもこの照度制御対象エリアＡに影響を与えるものであり、その外光影響度はＲ１、Ｒ２、Ｒ３となっている。  
尚、図１では、１個の照明器具１３に対して照度制御対象エリアＡが設定されているが、複数の照明器具１３が設置されている場合には、単一又は複数の照明器具１３に対応した照度制御対象エリアＡが設定されることになる。
【００１３】
又、実際には、建屋１の周囲には図示しない別の建屋、樹木等があり、それら建屋、樹木等からの散乱光や大気の散乱光も外光の一部となる。又、西側の窓７の外側には既に説明したように看板１１があり、この看板１１からの反射光も外光の一部となる。
因みに、太陽１９が西側に位置している場合にはその光の多くが看板１１によって遮られることになる。
【００１４】
次に、上記複合型照度センサ１５、照明制御回路１７の構成を詳細に説明する。
まず、複合型照度センサ１５の構成を図２乃至図４を参照して詳細に説明する。複合型照度センサ１５は、建屋１の屋上等、建屋１の内部への外光の影響を代表するような場所に設置される。又、複合型照度センサ１５は、図２に示すような構成になっていて、まず、筺体２１を備えている。この筺体２１には複数個（この実施の形態の場合には４個）の照度検出素子２３、２５、２７、２９が設置されている。本実施の形態の場合には、上記照度検出素子２３が北を指向しており、照度検出素子２５が東を指向しており、照度検出素子２７が南を指向しており、照度検出素子２９が西を指向している。そして、上記照度検出素子２３によって北方向からの照度（Ｌ０）を計測し、照度検出素子２５によって東方向からの照度（Ｌ１）を計測し、照度検出素子２７によって南方向からの照度（Ｌ２）を計測し、照度検出素子２９によって西方向からの照度（Ｌ３）を計測する。上記各照度信号は照明制御装置１５に入力される。
【００１５】
上記照度検出素子２３、２５、２７、２９は、図３に示すような指向特性を備えていて、左右にそれぞれ１１０°で合計２２０°の範囲内の外光を捉えることができる構成になっている。このような指向特性を備えた照度検出素子２３、２５、２７、２９を、上記したように、北、東、南、西の方向にそれぞれ配置することにより方角毎の照度（Ｌ０）、（Ｌ１）、（Ｌ２）、（Ｌ３）を得るものである。又、上記照度検出素子２３、２５、２７、２９は、仰角方向に対しても同様の指向特性を備えているので、太陽の高度が高い場合にも対応することができ、又、周囲の建物による乱反射、大気よる拡散光等についてもこれを捉えることができる構成になっている。
【００１６】
上記複合型照度センサ１５の機能ブロック図を図４に示す。上記複合型照度センサ１５は、既に説明した４個の照度検出素子２３、２５、２７、２９と、照度センサ制御回路３１と、記憶素子３３とから構成されている。
【００１７】
次に、上記照明制御装置１７の構成について説明する。図５は照明制御装置１７の構成を示す機能ブロック図であり、まず、ユーザインターフェイス４１があり、このユーザインターフェイス４１を介して、ユーザ４３による入力操作によって、各種情報が入力されることになる。又、照度センサインターフェイス４５が設置されていて、この照度センサインターフェイス４５を介して、既に説明した複合型照度センサ１５からの照度信号が入力されることになる。
【００１８】
又、照度（Ｌｘ）取得回路４７、外光影響度（Ｒｘ）導出回路４９、外光照度（Ｍ）算出回路５０、調光率（ｃ）算出回路５１、記憶回路５３が、照明器具インターフェイス５５が設置されている。上記照度（Ｌｘ）取得回路４７によって複合型照度センサ１５からの信号に基づいて各方角の照度（Ｌｘ）を取得する。又、上記外光影響度（Ｒｘ）導出回路４９によって、記憶装置５３に予め記憶されている外光影響度（Ｒｘ）を方角毎に導出する。
又、予め設定されている外光影響度（Ｒｘ）に対して、別途、外部入力により別の外光影響度（Ｒｘ）が入力・記憶されている場合には、そちらを優先するように構成されている。
又、複合型照度センサ１５と照明制御装置１７との間の通信は、例えば、ＬＡＮ（Ｌｏｃａｌ  Ａｒｅａ  Ｎｅｔｗｏｒｋ：ローカルエリアネットワーク）等の通信手段が採用される。又、照明制御装置１７と照明器具１３との間の通信は、例えば、ＰＬＣ（Ｐｏｗｅｒ  Ｌｉｎｅ  Ｃｏｍｍｕｎｉｃａｔｉｏｎ：電力線通信）が採用される。
【００１９】
又、上記外光照度（Ｍ）算出回路５０は、上記取得した照度（Ｌｘ）と外光影響度（Ｒｘ）とから、照度制御対象エリアＡにおける総合的な（太陽１９、その他の光源を含んだ総合的な）外光照度（Ｍ）を算出する。そして、その算出は次の式（Ｉ）によって行われる。
Ｍ＝Ｆａ（ｆ０（Ｌ０、Ｒ０）、ｆ１（Ｌ１、Ｒ１）、ｆ２（Ｌ２、Ｒ２）・・・
ｆｘ（Ｌｘ、Ｒｘ））                                  ―――（Ｉ）
但し  、
Ｍ
：外光照度
Ｌｘ：方角毎の照度
Ｒｘ：方角毎の外光影響度
又、より具体的な次の式（ＩＩ）によって行われる。
Ｍ＝Ｌ０＊Ｒ０＋Ｌ１＊Ｒ１＋Ｌ２＊Ｒ２＋・・・＋Ｌｘ＊Ｒｘ    ―――（ＩＩ）
【００２０】
又、調光率（ｃ）算出回路５１は、次に示す式（ＩＩＩ）によって、調光率（ｃ）を算出するものである。
ｃ＝Ｆｂ（Ｍ、Ｉｍ、ｅ）                              ―――（ＩＩＩ）
但し、
Ｉｍ  ：Ｍ＝０の時の照明器具付近の最低照度
ｅ    ：照明器具付近における外光と照明器具自身の照明効果以外の外光入力（例えば、テレビの明るさ、照明器具以外の別の照明器具による照度）
又、より具体的には、次の式（ＩＶ）によって算出される。
ｃａ＝（ｋ１＊Ｉｍ）−（ｋ２＊Ｍ）−（ｋ３＊ｅ）            ―――（ＩＶ）
ｃａ＜０の時      ｃ＝０
ｃａ＞１の時      ｃ＝１
０≦ｃａ≦１の時  ｃ＝ｃａ
但し、
ｋ１：定数
ｋ２：定数
ｋ３：定数
そして、調光率（ｃ）算出回路５１によって算出された調光率（ｃ）は、照明装置インターフェイス５５を介して照明器具１３に出力され、それによって、照明器具１３の照度が調整され、照度制御対象エリアＡの照度が最適に保持されることになる。
【００２１】
ここで、既に説明した外光影響度Ｒｘについて説明する。外光影響度Ｒｘは方向毎に設定される値であり、例えば、建屋１の要素（例えば、窓、５、７、９の有無等）によって決定される。その一例を図６を参照して説明する。図６は図１から建屋１と窓９のみを抽出して示す図であり、この場合の照度制御対象エリアＡの窓９方向の外光影響度Ｒｘは次に示す式（Ｖ）によって算出される。
Ｒｘ＝{（ｋ１＊Ｘ＊Ｙ）／（ｋ２＊Ｄ）}＊（ｋ３＊τ）―――（Ｖ）
但し、
Ｘ：窓９の横幅
Ｙ：窓９の縦幅
Ｄ：窓９と照明対象エリアＡの距離
τ：窓９の光の透過率
ｋ１：定数
ｋ２：定数
ｋ３：定数
【００２２】
以上の構成を基に図７〜図１３を参照してその作用を説明する。
最初に、図７、図８のフローチャートを参照して、照明調光のための処理（照明調光プログラム）について説明する。最初に、ステップＳ１〜Ｓ４において、複合型照度センサ１５から照度情報（Ｉｉ）を入力する。
まず、ステップＳ１において、複合型照度センサＳｉ（本実施の形態では符号１５で示している。）の要素番号（ｉ）（複合型照度センサ１５が複数個設置されている場合の個々の複合型照度センサ１５の要素番号）を「１」とする。次に、ステップＳ２に移行して、その複合型照度センサＳｉ（１５）の要素番号（ｉ）が最後の番号であるか否かが判別される。判別の結果、その複合型照度センサＳｉ（１５）の要素番号（ｉ）が最後の番号ではないと判別された場合にはステップＳ３に移行する。このステップＳ３においては、複合型照度センサＳｉ（１５）から照度情報（Ｉｉ）を取得する。
尚、照度情報（Ｉｉ）の取得に際しては、図示しないＦＩＲフィルタ等によるフィルタ処理を施すことにより、通信の異常等で照度情報（Ｉｉ）を取得できなかった場合にも、複合型照度センサＳｉ（１５）からの照度情報（Ｉｉ）を出力することが可能となるので、照度制御を安定的なものとすることができる。
次に、ステップＳ４に移行して、取得した照度情報（Ｉｉ）を照度（Ｌｉ）に変換する。次に、ステップＳ５に移行して、複合型照度センサＳｉ（１５）の要素番号（ｉ）を「１」だけ増やし、再度、ステップＳ２に戻る。
これに対して、ステップＳ２において、その複合型照度センサＳｉ（１５）の要素番号（ｉ）が最後の番号であると判別された場合には、ステップＳ６に移行する。
ここまでの処理によって全ての照度（Ｌｉ）の取得が完了する。
【００２３】
次に、ステップＳ６において、照度制御対象エリアＡｊの要素番号（ｊ）（照度制御対象エリアＡが複数設置されている場合の個々の照度制御対象エリアＡの要素番号）を「１」とする。次に、ステップＳ７に移行して、照度制御対象エリアＡｊの要素番号（ｊ）が最後であるか否かが判別される。判別の結果、その照度制御対象エリアＡｊの要素番号（ｊ）が最後であると判別された場合にはステップＳ２に戻る。これに対して、その照度制御対象エリアＡｊの要素番号（ｊ）が最後ではないと判別された場合には、ステップＳ８に移行する。このステップＳ８においては、方向（ｄｋ）の要素番号（ｋ）を「１」とする。次に、ステップＳ９に移行して、その方向（ｄｋ）の要素番号（ｋ）が最後であるか否かが判別される。その方角（ｄｋ）の要素番号（ｋ）が最後ではないと判別された場合には、ステップＳ１０に移行する。
【００２４】
このステップＳ１０においては、照度制御対象エリアＡｊに関連付けられた外光影響度（Ｒｊｋ）が導出される。次に、ステップＳ１１において、照度制御対象エリアＡｊに関連付いた複合型照度センサＳｉ（１５）の照度（Ｌｉｋ）を得る。すなわち、既に説明したステップＳ４において取得した照度（Ｌｉ）を方向に関する情報と関連付けて照度（Ｌｉｋ）としているものである。次に、ステップＳ１２に移行して、方向（ｄｋ）の要素番号（ｋ）を「１」だけ増やして、ステップＳ９に戻る。一方、ステップＳ９において、その方向（ｄｋ）の要素番号（ｋ）が最後であると判別された場合には、ステップＳ１３に移行する。この、ステップＳ１３において、算出した外光影響度（Ｒｊｋ）と照度（Ｌｉｋ）とから外光照度（Ｍｊ）を算出する。
【００２５】
次に、ステップＳ１４に移行して、算出した外光照度（Ｍｊ）に基づいて調光率（ｃｊ）を算出する。次に、ステップＳ１５に移行して、今の時間帯がセンサ調光時間帯か否かが判別される。判別の結果、今の時間帯がセンサ調光時間帯ではないと判別された場合には、ステップＳ１６に移行して、予め設定されている他の調光率（ｃｊ′）が照度制御対象エリアＡｊに関連付いた全ての照明器具１３に対して出力される。次いで、ステップＳ１７に移行して、照度制御対象エリアＡｊの要素番号（ｊ）を「１」だけ増やす。そして、ステップＳ７に戻る。これに対して、上記ステップＳ１５において、今の時間帯がセンサ調光時間帯であると判別された場合には、ステップＳ１８に移行して、新たに算出された調光率（ｃｊ）が照度制御対象エリアＡｊに関連付いた全ての照明器具１３に対して出力される。その後、既に説明したステップＳ１７に移行する。
以上の処理によって、全ての照明器具１３に対する調光率（ｃｊ）又は（ｃｊ′）の算出と出力が完了する。
【００２６】
次に、図７のステップＳ３の処理、すなわち、照度情報（Ｉｉ）の取得に関して、複合型照度センサＳｉ（１５）側の処理を、図９を参照して説明する。まず、ステップＳ２１において、照度検出素子Ｐｉの要素番号（ｉ）を「１」とする。次に、ステップＳ２２に移行して、その照度検出素子Ｐｉの要素番号（ｉ）（本実施の形態の場合には４個の照度検出素子２３、２５、２７、２９が設置されているので要素番号は「１」〜「４」となる。）が最後であるか否かが判別される。この判別で、その照度検出素子Ｐｉの要素番号（ｉ）が最後ではないと判別された場合には、ステップＳ２３に移行する。ステップＳ２３においては、その照度検出素子Ｐｉからの照度情報（Ｉｉ）が取得される。次に、ステップＳ２４に移行して、照度検出素子Ｐｉの要素番号（ｉ）を「１」増やす。その後、ステップＳ２２に戻る。これに対して、ステップＳ２２において、その照度検出素子Ｐｉの要素番号（ｉ）が最後であると判別された場合にはステップＳ２５に移行する。ステップＳ２５においては、記憶回路５３に全ての情報（Ｉｉ）を保存する。
ここまでの処理によって、その複合型照度センサＳｉ（１５）を構成する全ての照度検出素子Ｐｉ（２３、２５、２７、２９）からの照度情報（Ｉｉ）が取得されたことになる。
次に、ステップＳ２６に移行して、照度要求の受信の有無が判別される。要求有りと判別された場合には、ステップＳ２７に移行する。ステップＳ２７においては、全情報が照明制御装置１７に送信される。
【００２７】
次に、図７のステップＳ４の処理、すなわち、照度情報（Ｉｉ）の照度（Ｌｉ）への変換について、図１０を参照して詳細に説明する。まず、ステップＳ３１において、方向（ｄｊ）の要素番号（ｊ）を「１」とする。次に、ステップＳ３２に移行して、方向（ｄｊ）の要素番号（ｊ）が最後であるか否かが判別される。この判別で最後ではないと判別された場合には、ステップＳ３３に移行する。このステップＳ３３においては、方向（ｄｊ）と照度情報（Ｉｉ）の関連付けが行われる。次いで、ステップＳ３４に移行して、照度情報（Ｉｉ）を照度（Ｌｉ）に変換する。次いで、ステップＳ３５に移行して、方向（ｄｊ）の要素番号（ｊ）を「１」増やす処理が実行される。又、ステップＳ３２において、最後であると判別された場合には、照度変換プログラムが終了することになる。
尚、この実施の形態の場合には、各方角（ｄｊ）に対して、それに対応する１個の照度検出素子Ｐｉ（２３、２５、２７、２９）からの情報を関連付けるようにしているが、それに限定されるものではない。例えば、各方角（ｄｊ）に対して２個以上の照度検出素子を配置して、それら２個以上の照度検出素子からの信号を加算や平均等の処理により情報（Ｉｉ）を取得し、それを方角（ｄｊ）と関連付けて照度（Ｌｉ）に変換するようなことも考えられる。
【００２８】
次に、図８のステップＳ９の処理に関して図１１を参照して説明する。まず、ステップＳ４３において、記憶回路５３に記憶されている外光影響度（Ｒ）を読み込む。次に、ステップＳ４４に移行して、外部からの入力の有無が判別される。この判別で、外部からの入力がないと判別された場合には、ステップＳ４５に移行する。このステップＳ４５においては、外光影響度（Ｒ）の保存が行われる。これに対して、外部からの入力が有ると判別された場合には、ステップＳ４６に移行して、外部入力を外光影響度（Ｒ）として取得する。その後ステップＳ４５に移行して外光影響度（Ｒ）の保存が行われる。
尚、外光影響度（Ｒ）は図８の方向ｄの要素のそれぞれにおいて導出される。
【００２９】
次に、図８のステップＳ１２の処理に関して、図１２、図１３を参照して説明する。まず、ステップＳ５１において、外光照度（Ｍ）が取得される。次いで、ステップＳ５２に移行して、最低照度（Ｉｍ）、最小率（ｃＭｉｎ）、最大率（ｃＭａｘ）が読み込まれる。次いで、ステップＳ５３に移行し、その他の照度（ｅ）の取得が実行される。そして、ステップＳ５４に移行して、調光率（ｃ）の算出が行われる。この調光率（ｃ）の算出は、既に説明した式（ＩＶ）によって行われる。
【００３０】
次いで、ステップＳ５５に移行して、調光率（ｃ）が「０（０％）」未満であるか否かが判別される。調光率（ｃ）が「０（０％）」未満であると判別された場合には、ステップＳ５６に移行して、調光率（ｃ）を「０（０％）」に設定する。これに対して、調光率（ｃ）が「０（０％）」未満ではないと判別された場合には、ステップＳ５７に移行する。ステップＳ５７では、調光率（ｃ）が「１（１００％）」を超過しているか否かが判別される。調光率（ｃ）が「１（１００％）」を超過していると判別された場合には、ステップＳ５８に移行する。このステップＳ５８においては、調光率（ｃ）を「１（１００％）」に設定する。これに対して、調光率（ｃ）が「１（１００％）」を超過していないと判別された場合には、ステップＳ５９に移行する。
【００３１】
ステップＳ５９においては、調光率（ｃ）が「最小率（ｃＭｉｎ）」未満か否かが判別される。調光率（ｃ）が「最小率（ｃＭｉｎ）」未満であると判別された場合には、ステップＳ６０に移行する。このステップＳ６０においては、調光率（ｃ）が「最小率（ｃＭｉｎ）」に設定される。これに対して、調光率（ｃ）が「最小率（ｃＭｉｎ）」未満ではないと判別された場合には、ステップＳ６１に移行する。このステップＳ６１においては、調光率（ｃ）が「最大率（ｃＭａｘ）」を超過しているか否かが判別される。調光率（ｃ）が「最大率（ｃＭａｘ）」を超過していると判別された場合には、ステップＳ６２に移行して、調光率（ｃ）が「最大率（ｃＭａｘ）」に設定される。これに対して、調光率（ｃ）が「最大率（ｃＭａｘ）」を超過していないと判別された場合にはそのまま終了する。
尚、調光率（ｃ）に対しては最少率と最大率を設定することができる。これらの値は、使用する照明器具１３の仕様やユーザの希望によって、調光率（ｃ）を下限と上限に貼り付ける役割を持つ。
【００３２】
以上本実施の形態によると次のような効果を奏することができる。
まず、外光による照度を方角毎に確実に検出して、それが各照明器具１３の照度制御対象エリアＡにどの程度影響するかについて精度良く計測することができるので、各照明器具１３の照度ひいてはそれぞれの照度制御対象エリアＡの照度を適切な状態に制御することができる。
又、本実施の形態の場合には、複合型照度センサ１５を使用するようにしているので、使用する照度センサの個数を最低限の個数とすることができる。
又、本実施の形態の場合には、外光影響度（Ｒｘ）に関して、予め記憶されているものとは別に、外部入力により入力・記憶させることができ、又、それを優先させることができるので、より実情に合った制御が可能になる。
又、本実施の形態の場合には、センサ調光時間帯であるか否かを判別して、センサ調光時間帯ではないと判別された場合には、予め設定された調光率（ｃ）を使用するように構成されているので、例えば、昼休みで照明の必要がないような場合には、そのような制御を行うことができる。
【００３３】
尚、本発明は前記一実施の形態に限定されるものではない。
まず、前記一実施の形態の場合には、４個の照度検出素子から構成された複合型照度センサを使用した例を説明したが、それに限定されるものではなく、任意個数の照度検出素子から構成された複合型照度センサの使用が考えられる。
又、外光影響度Ｒｘの算出については、前記一実施の形態で説明した方法以外に、採光シミュレーションを行って求める方法、照明対象エリアＡの机上照度を実測して求める方法、等様々な方法がある。
その他、図示した構成はあくまで一例である。  
【産業上の利用可能性】
【００３４】
本発明は、各種照明器具の照度を制御する照明制御装置に係り、特に、太陽光等の外光による照度を検出し、それによって、各種照明器具の照度を制御することにより、エネルギ消費量の低減を図ることができるように工夫したものに関し、例えば、オフィス、工場等における照明制御設備に好適である。
【符号の説明】
【００３５】
１  建屋
３  室
５  窓
７  窓
９  窓
１１  看板
１３  照明器具
１５  複合型照度センサ
１７  照明制御回路
１９  太陽
２３  照度検出素子
２５  照度検出素子
２７  照度検出素子
２９  照度検出素子
４７  照度取得回路
４９  外光影響度導出回路
５１  調光率算出回路
５３  記憶回路
【図１】
2014096245.tif 000003
【図２】
2014096245.tif 000004
【図３】
2014096245.tif 000005
【図４】
2014096245.tif 000006
【図５】
2014096245.tif 000007
【図６】
2014096245.tif 000008
【図７】
2014096245.tif 000009
【図８】
2014096245.tif 000010
【図９】
2014096245.tif 000011
【図１０】
2014096245.tif 000012
【図１１】
2014096245.tif 000013
【図１２】
2014096245.tif 000014
【図１３】
2014096245.tif 000015